(57)【特許請求の範囲】
【請求項１】
マイクロストリップアンテナであって、
第１方向に平行であってかつ長さが３／２波長に相当する第１の辺および第２の辺と前記第１方向に直交する第２方向に平行な第３の辺および第４の辺とを備える方形共振器において前記第１の辺および前記第２の辺からそれぞれ前記方形共振器の中心に向かって切り欠いた形状を有しており、当該切り欠いた形状により、当該切り欠いた形状の周辺となる第１の部分に対し対向する位置関係にある第２の部分および第３の部分について放射特性に寄与させる形状を有しており、
前記第１の部分、前記第２の部分、および前記第３の部分の前記第１方向の長さはそれぞれ１／２波長に相当し、
前記第１の部分の前記第２方向の幅は、前記切り欠いた形状により、前記第２の部分、および前記第３の部分の前記第２方向の幅に比べて狭くなり、
前記第２の部分または前記第３の部分のいずれか一方に給電点を備える、
マイクロストリップアンテナ。
【請求項２】
前記切り欠いた形状として、前記第１の辺から前記第１方向の長さが１／２波長の矩形に切り欠いた形状と、前記第２の辺から前記第１方向の長さが１／２波長の矩形に切り欠いた形状とを有することにより、Ｈ型の形状を有している、請求項１に記載のマイクロストリップアンテナ。
【請求項３】
前記第２の部分または前記第３の部分の少なくとも１つの内側の一部が切り抜かれている、請求項１または請求項２に記載のマイクロストリップアンテナ。
【請求項４】
前記切り欠いた形状により、前記第１の部分は、前記第２方向の幅が一定でない、請求項１に記載のマイクロストリップアンテナ。
【請求項５】
前記第１の部分の内側の一部が切り抜かれている、請求項１から請求項３のいずれかに記載のマイクロストリップアンテナ。
【請求項６】
請求項１から請求項５のいずれかのマイクロストリップアンテナを備える、情報機器。
【発明の詳細な説明】
【技術分野】
【０００１】
本開示は、マイクロストリップアンテナ、情報機器に関する。
【背景技術】
【０００２】
マイクロストリップアンテナは、携帯電話機、衛星通信用機器、自動車などの移動体などに用いられている。下記の特許文献１、特許文献２には、マイクロストリップアンテナについて記載されている。
【０００３】
アンテナの性能を高めるため、下記の非特許文献１、非特許文献２には、アンテナの利得を高めるために、４つのアンテナをアレイ化することが記載されている。非特許文献１には、４つのアンテナ素子を、電力分配器によりアレイ化する構成が記載されている。非特許文献１の技術の場合、アンテナを配置する面と、回路を配置する面とでは、適した基板材料が異なり、適した厚みも異なる。そのため、高い利得を得るため、アンテナと回路とを別の基板により構成する。
【先行技術文献】
【特許文献】
【０００４】
【特許文献１】特開２００３−２５８５３９号公報
【特許文献２】特開２００３−２８３２４１号公報
【非特許文献】
【０００５】
【非特許文献１】Richard E. Hodges、外３名、“A Deployable High-Gain Antenna Bound for Mars: Developing a new folded-panel reflectarray for the first CubeSat mission to Mars.”、[online]、２０１７年２月２１日、IEEE Antennas and Propagation Magazine、インターネット（URL: https://www.researchgate.net/publication/315370269_A_Deployable_High-Gain_Antenna_Bound_for_Mars_Developing_a_new_folded-panel_reflectarray_for_the_first_CubeSat_mission_to_Mars）
【非特許文献２】MKA Rahim、外３名、“Antenna array at 2.4 GHz for wireless LAN system using point to point communication”、[online]、２００７年１２月４日、IEEE Xplore、インターネット（URL: https://www.researchgate.net/publication/4364395_Antenna_array_at_24_GHz_for_wireless_LAN_system_using_point_to_point_communication）
【発明の概要】
【発明が解決しようとする課題】
【０００６】
非特許文献２には、電力分配器等の回路を、アンテナ面に構成することが記載されている。しかし、アンテナの放射効率を犠牲にすることとなる。
【０００７】
そこで、本開示において、より性能を向上させたマイクロストリップアンテナを提供することを目的とする。
【課題を解決するための手段】
【０００８】
一実施形態によれば、マイクロストリップアンテナは、方形共振器において切り欠いた形状を有しており、当該切り欠いた形状により、当該切り欠いた形状の周辺となる第１の部分に対し対向する位置関係にある第２の部分および第３の部分について前記放射特性に寄与させる形状を有している。
【発明の効果】
【０００９】
本開示によれば、より性能を向上させたマイクロストリップアンテナ、情報機器を提供することができる。
【図面の簡単な説明】
【００１０】
【図１】従来のマイクロストリップアンテナの構成を示す図である。
【図２】実施の形態におけるマイクロストリップアンテナを示す図である。
【図３】動作比較の条件を示す図である。
【図４】アンテナの放射指向性の比較結果を示す図である。
【発明を実施するための形態】
【００１１】
以下、図面を参照しながら実施形態の説明を述べる。なお、以降、説明済みの要素と同一または類似の要素には同一または類似の符号を付し、重複する説明については基本的に省略する。例えば、複数の同一または類似の要素が存在する場合に、各要素を区別せずに説明するために共通の符号を用いることがあるし、各要素を区別して説明するために当該共通の符号に加えて枝番号を用いることもある。
【００１２】
＜比較例＞
まず、比較対象として、従来のマイクロストリップアンテナ１０の構成について説明する。
【００１３】
図１は、従来のマイクロストリップアンテナの構成を示す図である。図１（Ａ）に示すように、マイクロストリップアンテナ１０は、給電回路用基板１１、グランド板（地導体板）１２、アンテナ用基板（誘電体基板）１３、マイクロストリップパッチ１４、給電ピン１５、給電導体１６を備える。
【００１４】
図１（Ａ）において、マイクロストリップパッチ１４を有するアンテナ用基板１３等の面を、ｘ軸およびｙ軸により規定される面とし、当該ｘ軸およびｙ軸に対して垂直となる方向をｚ軸とする。つまり、ｚ軸は、マイクロストリップアンテナ１０の厚み方向を示す。
【００１５】
給電回路用基板１１は、給電導体１６を備える。給電導体１６は、給電ピン１５に給電するためのものである。給電導体１６とグランド板１２とによりマイクロストリップラインを形成する。当該マイクロストリップラインは、電力を伝送する線路となる。
【００１６】
グランド板１２は、導体であり、アンテナ用基板１３と給電回路用基板１１の間に設けられる。
【００１７】
アンテナ用基板１３は、上面にマイクロストリップパッチ１４を備える。
【００１８】
マイクロストリップパッチ１４は、給電ピン１５により電力が給電される。給電ピン１５は、マイクロストリップパッチ１４と、給電点１７により接続し、給電点１７を介してマイクロストリップパッチ１４に給電する。
【００１９】
マイクロストリップパッチ１４とグランド板１２によりマイクロストリップアンテナを形成する。当該マイクロストリップアンテナは、電波を放射する。マイクロストリップパッチ１４を、放射素子ということもある。
【００２０】
給電導体１６は、給電ピン１５に電力を給電する。
【００２１】
なお、図示する例では、マイクロストリップパッチ１４は、円形状または楕円形状の例を示しているが、方形のものもある。図１（Ｂ）は、方形の形状のマイクロストリップパッチ１４の例を示す図である。
【００２２】
図１（Ｂ）に示すように、方形のマイクロストリップアンテナは、長さ「Ｌ」、幅「Ｗ」のマイクロストリップラインと同等の構造を有しており、共振器として動作する。
【００２３】
図１（Ｃ）に示すように、アンテナ素子を、電力分配器によりアレイ化する構成もある。図１（Ｃ）において、アンテナ面に、アンテナ素子２４（２４Ａ〜２４Ｈ）を配置している。アンテナ素子２４Ａ、２４Ｂ、２４Ｃ、２４Ｄの４つのアンテナ素子をアレイ化している。また、アンテナ素子２４Ｅ、２４Ｆ、２４Ｇ、２４Ｈの４つのアンテナ素子をアレイ化している。
【００２４】
図１（Ｄ）は、電力分配器２５を配置する基板の面を示す。図１（Ｄ）は、図１（Ｃ）に対応しており、図１（Ｃ）におけるアンテナ素子２４の配置個所を、図１（Ｄ）において点線で示している。
【００２５】
なお、図１（Ｃ）および図１（Ｄ）の例において、アンテナ面（図１（Ｃ））に電力分配器２５を配置する場合には、図１（Ｃ）の場合と比較して電力分配器２５を配置するための領域をアンテナ面において確保する必要があるため、アンテナの放射効率を低下させることになる。
【００２６】
以上のように、アンテナ素子２４をアレイ化する際、電力分配器２５を用いることになり、その損失によりアンテナの放射効率を低下させることとなる。
【００２７】
また、アンテナ面と、電力分配器２５を配置するための回路面とを、それぞれ別の基板により構成する場合、電力分配器が占める面積が比較的大きくなり（面積占有率が高くなる）、電力分配器を配置する基板において他の回路を構成するための面積が制限されうる。
【００２８】
＜実施の形態におけるマイクロストリップアンテナの説明＞
図２は、実施の形態におけるマイクロストリップアンテナを示す図である。
【００２９】
図２（Ａ）は、実施の形態におけるマイクロストリップアンテナの形状の一例を示す。図示するように、マイクロストリップパッチ３４Ａは、Ｈ型の形状を有している。
【００３０】
マイクロストリップパッチ３４Ａは、所定波長を有する方形共振器として構成されている。ここで、図示するように、マイクロストリップパッチ３４Ａは、所定波長として、3/2実効波長（以下、波長と記述）の方形共振器として構成されている。マイクロストリップ線路は、特性インピーダンスにより実効誘電率が変わるため実効波長が異なる。つまり、実効波長が変数により定まるため、マイクロストリップパッチ３４Ａにおいて、幅の長さを「λｇ」などと記載する。
【００３１】
マイクロストリップパッチ３４Ａは、図示する例において、横方向が3/2波長の幅を有することにより、共振器として動作する。図示するように、切り欠き部３８Ａ、３８Ｂの幅（図示する例における横方向の長さ）を、「1/2λｇ2」とする。
【００３２】
マイクロストリップパッチ３４Ａにおいて、切り欠き部３８Ａ、３８Ｂの間の領域を第１の部分（図３（Ａ）で後述するような、Ｈ型の形状のくびれ部分に相当する第１の部分３９Ａ）とする。
【００３３】
マイクロストリップパッチ３４Ａにおいて、第１の部分に対向する２つの領域を、第２の部分および第３の部分（図３（Ａ）に示すように第２の部分３９Ｂと第３の部分３９Ｃ）とする。第２の部分３９Ｂの幅を、「1/2λｇ1」とする。第３の部分３９Ｃの幅を、「1/2λｇ3」とする。
【００３４】
以上より、マイクロストリップパッチ３４Ａの幅（図示する例における横方向の長さ）を、1/2（λｇ1+λｇ2＋λｇ3）と表記しており、当該マイクロストリップパッチ３４Ａの幅は、上記のとおり3/2波長としている。
【００３５】
マイクロストリップパッチ３４Ａにおいて、縦方向の長さ（図示する例における長さ「Ｗ」）は、1/2実効波長以上の任意の値である。図示する例において、長さ「Ｗ」が「1/2λｇ4」以上であることを示している。
【００３６】
マイクロストリップパッチ３４Ａは、切り欠き部３８Ａ、３８Ｂに示すように切り抜かれた形状を有している。当該切り欠き部３８Ａ、３８Ｂの幅（図示する例における横方向の長さ）が、所定波長に基づく長さを有している。切り欠き部３８Ａ、３８Ｂの一辺の長さ（幅）は、所定波長に基づく長さとして、1/2波長の幅として構成されている。マイクロストリップパッチ３４Ａは、切り欠き部３８Ａ、３８Ｂにより切り抜かれた形状を有することにより、Ｈ型の形状のくびれ部分（つまり、切り欠き部３８Ａ、３８Ｂの間）を有する形状となっている。
【００３７】
マイクロストリップパッチ３４Ａは、Ｈ型の形状のくびれ部分とは異なる位置に給電点１７を有している。図示するように、マイクロストリップパッチ３４Ａは、給電点１７を、Ｈ型の形状において、くびれ部分を挟んで対向する２つの領域の任意の位置に有している。当該領域は、3/2波長の辺と、1/2波長の辺とから構成されている。
【００３８】
以上のように、切り欠き部３８Ａ、３８Ｂを有しない方形共振器と比較すると、当該方形共振器（切り欠き部分なし）において給電点から給電すると、当該方形共振器において、3/2波長共振器として直線的に1/2波長毎に同じ強さの電流のピークが３つ現れることになる。このとき、中央の1/2波長部は、対向する２つの領域の電流と位相が逆位相となるため、z方向（正面方向）の放射に寄与せず、サイドローブ成分となる。一方、マイクロストリップパッチ３４Ａは、給電点１７により給電した場合、切り欠き部３８Ａ、３８Ｂを有することにより、Ｈ型の形状のくびれ部分において対向する２つの領域よりも小さい電流が流れる（切り欠き部分がない方形共振器と比較すると特性インピーダンスが高く電流が流れにくくなる）、つまり、くびれ部分においては、マイクロストリップアンテナの放射特性として、サイドローブレベルをより低くすることができる。
【００３９】
なお、当該くびれ部分について、サイドローブレベルをより低くするため、金属で遮蔽することとしてもよい。
【００４０】
また、当該くびれ部分について、当該くびれ部分に対向する２つの領域よりも厚み（ｚ軸方向）を薄くすることとしてもよい。
【００４１】
以上のように、マイクロストリップパッチ３４Ａは、方形共振器において切り欠いた形状（切り欠き部３８Ａ、３８Ｂ）を有しており、当該切り欠いた形状により、当該切り欠いた形状の周辺となる第１の部分（切り欠き部３８Ａ、３８Ｂの間となる、くびれ部分。後述する図３の第１の部分３９Ａ）に対し対向する位置関係にある第２の部分（後述する図３の第２の部分３９Ｂ）および第３の部分（後述する図３の第３の部分３９Ｃ）について放射特性に寄与させる形状を有している。
【００４２】
図２（Ｂ）は、実施の形態におけるマイクロストリップアンテナの形状の、別の例を示す。図示するように、マイクロストリップパッチ３４Ｂは、図２（Ａ）のマイクロストリップパッチ３４Ａと比較すると、Ｈ型の形状のくびれ部分を挟んで対向する２つの領域において、切り欠き部３８Ｃ、３８Ｄ（スロット）により切り抜かれた形状を有している。当該切り欠き部３８Ｃ、３８Ｄのいずれかは、給電点１７の付近に設けている。図示するように、マイクロストリップパッチ３４Ｂは、給電点１７の付近に切り欠き部３８Ｄを有する形成となっている。マイクロストリップパッチ３４Ｂにおいて、上記の２つの領域を切り抜く部分の数は２つとしているが、２つに限らずともよい。
【００４３】
図２（Ｃ）は、実施の形態におけるマイクロストリップアンテナの形状の、別の例を示す。図示するように、マイクロストリップパッチ３４Ｃは、図２（Ａ）のマイクロストリップパッチ３４Ａと比較すると、Ｈ型の形状のくびれ部分において、さらに、くびれ部分の外側から、切り欠き部３８Ｅ、３８Ｆにより切り抜かれた形状を有している。つまり、マイクロストリップパッチ３４Ｃにおいて、給電点１７により給電した場合、切り欠き部３８Ｅ、３８Ｆにより挟まれた部分（マイクロストリップパッチ３４ＣのＨ型の形状のくびれ部分の、さらにくびれとなる部分）において電流が流れることとなる（切り欠き部分がない方形共振器と比較すると電流が流れにくくなる）。図示する例では、マイクロストリップパッチ３４ＣのＨ型の形状のくびれ部分は、マイクロストリップパッチ３４ＡのＨ型の形状のくびれ部分よりも太く形成されている。マイクロストリップパッチ３４Ｃにおいて、くびれ部分の外側から切り抜く部分の数は２つとしているが、２つに限らずともよい。
【００４４】
図２（Ｄ）は、実施の形態におけるマイクロストリップアンテナの形状の、別の例を示す。図示するように、マイクロストリップパッチ３４Ｄは、図２（Ａ）のマイクロストリップパッチ３４Ａと比較すると、Ｈ型の形状のくびれ部分において、くびれ部分の内側において、切り欠き部３８Ｇにより切り抜かれた形状を有している。つまり、マイクロストリップパッチ３４Ｄにおいて、給電点１７により給電した場合、切り欠き部３８Ｇを迂回して電流が流れることとなる。当該迂回して電流が流れるとともにスロットの左右で電流の位相を反転させることにより、サイドローブレベルをより低くすることができる。マイクロストリップパッチ３４Ｄにおいて、くびれ部分の内側において切り抜く部分の数は１つとしているが、１つに限らずともよい。
【００４５】
＜動作比較＞
実施の形態で説明したマイクロストリップパッチ３４Ｂと、従来例として説明したアンテナアレイとの動作を比較した結果について説明する。
【００４６】
図３は、動作比較の条件を示す図である。図３（Ａ）は、実施の形態におけるマイクロストリップパッチ３４Ｂの形状および寸法を示す。図３（Ｂ）は、比較例として図１（Ｃ）、（Ｄ）で説明したアンテナアレイの形状および寸法を示す。上記したように、マイクロストリップパッチ３４Ｂは、Ｈ型の形状のくびれ部分となる第１の部分３９Ａと、当該くびれ部分に対し対向する位置関係にある第２の部分３９Ｂと第３の部分３９Ｃとを有する。
【００４７】
図３（Ａ）、（Ｂ）に示すように、マイクロストリップパッチ３４Ｂと、アンテナ素子２４Ａ、２４Ｂ、２４Ｃ、２４Ｄからなるアンテナアレイとは、同サイズとしている。すなわち、マイクロストリップパッチ３４Ｂは、一辺が幅「70mm」の寸法を有する。つまり、図３（Ａ）の例に示すマイクロストリップパッチ３４Ｂは、幅（図示する例における横方向の長さ）、長さ「Ｗ」（図示する例における縦方向の長さ）とを同等のものとしている。長さ「Ｗ」を変動させた場合（長さ「Ｗ」を大きくした場合）、変動させる前と比較して不要な共振を発生させつつも、利得は上がり、マイクロストリップパッチ３４の放射効率が高まることもある。
【００４８】
一方、アンテナアレイは、アンテナ素子２４Ａ、２４Ｂ、２４Ｃ、２４Ｄそれぞれが、幅「23.5mm」の寸法を有し、これらアンテナ素子２４Ａ、２４Ｂ、２４Ｃ、２４Ｄを配置することで、全体として一辺が幅「23.5mm」の寸法を有している。
【００４９】
つまり、マイクロストリップパッチ３４Ｂとアンテナアレイとは、基板に配置した際に専有する面積が同等である。
【００５０】
図４は、アンテナの放射指向性の比較結果を示す図である。
【００５１】
図４に示す例として、５．８ＧＨｚの信号に基づく動作の比較結果を示している。マイクロストリップパッチ３４Ｂについては放射指向性について実測を行い、実測値に基づきグラフを描いている。従来例として説明したアンテナアレイについては、電磁界シミュレーションによる計算値に基づきグラフを描いている。
【００５２】
以上を比較した結果、（１）利得については、マイクロストリップパッチ３４Ｂは、従来例のアンテナアレイと比較して電力分配器（電力分配器２５）が不要となるため、１５％程度、高効率となる。
【００５３】
具体的には、マイクロストリップパッチ３４Ｂと、従来例のアンテナアレイとを比較すると、従来例のアンテナアレイの複数のアンテナ素子２４Ａ、２４Ｂ、２４Ｃ、２４Ｄの利得についてはマイクロストリップパッチ３４Ｂと同等となる。例えば、比誘電率「１」、アンテナアレイを配置する基板の厚み「１ｍｍ」という条件において、マイクロストリップパッチ３４Ｂの利得と、アンテナ素子２４Ａ、２４Ｂ、２４Ｃ、２４Ｄの利得とは、ともに、１５．４（ｄＢｉ）程度である。
【００５４】
一方、アンテナアレイに電力分配器（電力分配器２５）を配置することによる損失として、比誘電率「３．２」、電力分配器を配置する基板の厚み「０．８ｍｍ」という条件において、０．７（ｄＢ）となる。
【００５５】
以上より、電力分配器による損失を考慮したアンテナアレイの実効利得と、マイクロストリップパッチ３４Ｂの実効利得とを比較すると、マイクロストリップパッチ３４Ｂの実効利得が１５．４（ｄＢｉ）であるのに対し、従来例のアンテナアレイの実効利得が１４．７（ｄＢｉ）（つまり、「１５．４）−「０．７」）となり、マイクロストリップパッチ３４Ｂのほうが、従来例のアンテナアレイと比較して１５％程度（０．７ｄＢ）高効率となる。
【００５６】
また、（２）放射指向性については、マイクロストリップパッチ３４Ｂは、従来例のアンテナアレイと比較して、サイドローブが低くなり、耐干渉性に優れる。
【００５７】
例えば、放射指向性として、マイクロストリップパッチ３４Ｂまたは従来例のアンテナアレイが配置される基板の面に対して垂直な軸（ｚ軸）に対する仰角として「±５０°」の方向において、マイクロストリップパッチ３４Ｂのサイドローブレベルは、Ｅ面については「−１６．７」（ｄＢ）であるのに対し、従来例のアンテナアレイについては「−１３．２」（ｄＢ）と評価され、マイクロストリップパッチ３４Ｂのほうが３（ｄＢ）以上、サイドローブレベルが低くなっている。
【００５８】
例えば、放射指向性として、ｚ軸に対する仰角として「±５５°」の方向において、マイクロストリップパッチ３４Ｂのサイドローブレベルは、Ｈ面については「−１６．６」（ｄＢ）であるのに対し、従来例のアンテナアレイについては「−１０．５」（ｄＢ）と評価され、マイクロストリップパッチ３４Ｂのほうが６（ｄＢ）以上、サイドローブレベルが低くなっている。
【００５９】
以下、具体的に説明すると、図４（Ａ）は、マイクロストリップパッチ３４Ｂと、従来例として説明したアンテナアレイとについて、Ｅ面の指向特性を比較した図である。図４（Ａ）において、マイクロストリップパッチ３４Ｂの放射指向性４１を点線で示し、従来例として説明したアンテナアレイの放射指向性４２を実線で示す。
【００６０】
図４（Ｂ）は、マイクロストリップパッチ３４Ｂと、従来例として説明したアンテナアレイとについて、Ｈ面の指向特性を比較した図である。図４（Ｂ）において、マイクロストリップパッチ３４Ｂの放射指向性４３を、各測定点について丸印（記号「●」）を付した実線で示し、従来例として説明したアンテナアレイの放射指向性４４を、丸印がない実線で示している。
【００６１】
図４（Ａ）（Ｂ）において、マイクロストリップパッチ３４Ｂの放射指向性４１について「新規高利得アンテナ」と表記し、従来例として説明したアンテナアレイの放射指向性４２について「従来４素子アレイ」と表記している。また、図４（Ａ）（Ｂ）において、横軸は、マイクロストリップパッチ３４Ｂまたはアンテナアレイが配置される基板の面にたして垂直な軸（ｚ軸）に対する仰角を示す。縦軸は、利得を示す。
【００６２】
図４（Ａ）（Ｂ）に示すように、ｚ軸に対する仰角が「±０°」の付近においては、放射指向性４１（マイクロストリップパッチ３４Ｂ）は、放射指向性４２（従来例のアンテナアレイ）よりも高効率な利得となっており、放射指向性４３（マイクロストリップパッチ３４Ａ）は、放射指向性４４（従来例のアンテナアレイ）よりも高効率な利得となっている。
【００６３】
また、サイドローブレベル（例えば、仰角「±５０°」、仰角「±５５°」付近）についても、放射指向性４１は放射指向性４２よりも低くなっており、放射指向性４３は放射指向性４４よりも低くなっている。
【００６４】
以上より、アンテナの面積が同程度であるにもかかわらず、本実施形態のマイクロストリップアンテナのほうが、放射効率が高いといえる。
【００６５】
従来例と比較すると、実施形態で説明したマイクロストリップアンテナは、電力分配器（合成器）を設ける必要がないため、電力分配器による損失を無くすことができ、より高い放射効率を得ることができる。また、電力分配器用の基板を不要とすることができるため、製造がより容易になる。また、アンテナを配置する面に対し背面に回路を構成する場合に、電力分配器を配する必要がないため、背面において所望の回路を構成するための面積を広く利用することができる。
【００６６】
以上のように説明したマイクロストリップアンテナは、携帯電話機、衛星通信用機器、自動車などの移動体など様々な情報機器に搭載され得る。すなわち、情報機器は、上記の実施形態で説明したマイクロストリップアンテナ（マイクロストリップパッチ３４Ａ，３４Ｂ，３４Ｃ，３４Ｄ）を備える。当該情報機器は、マイクロストリップパッチ３４Ａ等により電力を放射することで、他の装置に電力を供給するためのものとしてもよい。つまり、情報機器は、無線により電力を送る無線送電機器であるとしてもよい。
【００６７】
＜付記＞
以上の各実施形態で説明した事項を以下に付記する。
【００６８】
（付記１）
マイクロストリップアンテナ（３４Ａ、３４Ｂ、３４Ｃ、３４Ｄ）であって、方形共振器において切り欠いた形状（３８Ａ、３８Ｂ、３８Ｃ、３８Ｄ、３８Ｅ、３８Ｆ、３８Ｇ）を有しており、当該切り欠いた形状により、当該切り欠いた形状の周辺となる第１の部分（３９Ａ）に対し対向する位置関係にある第２の部分（３９Ｂ）および第３の部分（３９Ｃ）について放射特性に寄与させる形状を有している、マイクロストリップアンテナ。
【００６９】
（付記２）
切り欠いた形状として、方形共振器の外側から、方形共振器の対向する２つの辺について切り欠いた形状（３８Ａ、３８Ｂ）を有することにより、方形共振器がＨ型の形状を有している、付記１に記載のマイクロストリップアンテナ。
【００７０】
（付記３）
当該切り欠いた形状の幅は、当該辺の長さに基づく長さ（図２）を有している、付記２に記載のマイクロストリップアンテナ。
【００７１】
（付記４）
方形共振器は、3/2波長の辺を有し、当該切り欠いた形状の幅は1/2波長である（図２）、付記３に記載のマイクロストリップアンテナ。
【００７２】
（付記５）
第１の部分は、切り欠いた形状に挟まれる部分であり、第２の部分および第３の部分の幅は、それぞれ1/2波長である（図２）、付記４に記載のマイクロストリップアンテナ。
【００７３】
（付記６）
第１の部分ではなく、第２の部分または第３の部分のいずれかに、給電点（１７）を備える、付記１から５のいずれかに記載のマイクロストリップアンテナ。
【００７４】
（付記７）
第２の部分または第３の部分の内側から切り欠いた形状（３８Ｃ、３８Ｄ）を有する、付記１から６のいずれかに記載のマイクロストリップアンテナ。
【００７５】
（付記８）
第１の部分において、さらに、第１の部分の外側から切り欠いた形状（３８Ｅ、３８Ｆ）を有する、付記１から７のいずれかに記載のマイクロストリップアンテナ。
【００７６】
（付記９）
第１の部分において、さらに、第１の部分の内側から切り欠いた形状（３８Ｇ）を有する、付記１から７のいずれかに記載のマイクロストリップアンテナ。
【００７７】
（付記１０）
付記１から９のいずれかのマイクロストリップアンテナを備える、情報機器。
【符号の説明】
【００７８】
１０  マイクロストリップアンテナ、１１  給電回路用基板、１２  グランド板、１３  アンテナ用基板、１４  マイクロストリップパッチ、１５  給電ピン、１６  給電導体、１７  給電点、２４Ａ，２４Ｂ，２４Ｃ，２４Ｄ，２４Ｅ，２４Ｆ，２４Ｇ，２４Ｈ  アンテナ素子、２５  電力分配器、３４Ａ，３４Ｂ，３４Ｃ，３４Ｄ  マイクロストリップパッチ、３８Ａ，３８Ｂ，３８Ｃ，３８Ｄ，３８Ｅ，３８Ｆ，３８Ｇ，３８Ｈ  切り欠き部、４１，４２，４３，４４  放射指向性。
【要約】
【課題】より性能を向上させたマイクロストリップアンテナを提供する。
【解決手段】マイクロストリップアンテナは、方形共振器において切り欠いた形状を有しており、当該切り欠いた形状により、当該切り欠いた形状の周辺となる第１の部分に対し対向する位置関係にある第２の部分および第３の部分について前記放射特性に寄与させる形状を有している。切り欠いた形状として、方形共振器の外側から、方形共振器の対向する２つの辺について切り欠いた形状を有することにより、方形共振器がＨ型の形状を有している。方形共振器は、3/2波長の辺を有し、当該切り欠いた形状の幅は1/2波長である。第１の部分ではなく、第２の部分または第３の部分のいずれかに、給電点を備える。
【選択図】図２【図１】
0006764163.tif 000002
【図２】
0006764163.tif 000003
【図３】
0006764163.tif 000004
【図４】
0006764163.tif 000005